(57)【要約】      （修正有）【課題】災害時の避難場所となる屋内に簡単に組立てることが出来る組立て式インナーハウスを提供する。【解決手段】インナーハウスは周囲を外壁部１によって囲まれ、上記外壁部１は２つ折りされると共に両側端には接続片５，５を設けた複数枚の側壁板４，４・・・を該接続片を介して繋いで構成し、そして外壁部１には外壁板４を切欠いて出入口を形成し、床面には下段ベッド２ａ，２ｂを敷設し、また上記出入口の奥側には該下段ベッドから所定の高さに支持すると共に下段ベットに対して垂直方向に上段ベッド３を配置している。【選択図】図１
0003181947.tif 000002
【実用新案登録請求の範囲】
【請求項１】
災害時の避難場所となる屋内に設置されて、周囲を外側部によって囲まれたインナーハウスにおいて、上記外壁部は２つ折りされると共に両側端には接続片を設けた複数枚の側壁板を該接続片を介して繋いで構成し、接続片を互いに接合した接続部は内側へ突出し、そして外壁部には外壁板を切欠いて出入口を形成し、床面にはベッドを敷設したことを特徴とする組立て式インナーハウス。
【請求項２】
災害時の避難場所となる屋内に設置されて、周囲を外壁部によって囲まれたインナーハウスにおいて、上記外壁部は２つ折りされると共に両側端には接続片を設けた複数枚の側壁板を該接続片を介して繋いで構成し、接続片を互いに接合した接続部は内側へ突出し、そして外壁部には外壁板を切欠いて出入口を形成し、床面には下段ベッドを敷設し、また上記出入口の奥側には該下段ベッドから所定の高さに支持すると共に下段ベッドに対して垂直方向に上段ベッドを配置したことを特徴とする組立て式インナーハウス。
【請求項３】
上記下段ベッドの奥側側面を切欠いて側壁部との間に隙間を形成し、この隙間にベッド支えを挿入して起立し、上段ベッドの両端をベッド支えに載せて支持した請求項２記載の組立て式インナーハウス。
【請求項４】
上記上段ベッドの中央部を上段ベッド下補強材の中板によって支持し、該上段ベッド下補強材は中板の背面側から両方へ背板を延ばすと共に先端には挿入片を形成した形状とし、中板は両下段ベッド間に挟まれると共に上段ベッドの下面に接し、背板は下段ベッド先端と外壁部との間に挟まれ、そして挿入片は下段ベッド側面とベッド支えとの間に挟んでセットした請求項３記載の組立て式インナーハウス。
【請求項５】
上段ベッドの側面に切込みを設け、この切込みに内側へ突出した接続部を嵌めた請求項２、請求項３、又は請求項４記載の組立て式インナーハウス。
【考案の詳細な説明】
【技術分野】
【０００１】
本考案は大地震、洪水、又は原子力発電所からの放射能漏れなどの災害が発生することで公共の施設へ避難する場合、プライベートな空間を形成する為に屋内に設置することが出来る組立て式インナーハウス（屋内ブース）に関するものである。
【背景技術】
【０００２】
近年、我国をはじめ世界各国で大きな地震が発生し、その結果、住む家を無くして避難生活を強いられる場合が多く見受けられる。平成２３年３月１１日に発生した東日本大震災では太平洋側の関東から東北全域にわたっての巨大地震に襲われ、しかも地震によって発生した大津波が押し寄せて多くの人や家屋が波にさらわれてしまった。その為に、何十万人もの人が学校、体育館、公民館などの公共施設での避難生活が強いられた。
【０００３】
ところで、これら公共施設では広い空間に多くの家族が一同に生活する場合には色々な苦労や問題があることは事実であるが、その１つにプライバシーに関する問題がある。広い空間での共同生活では個人のプライバシーは確保できず、避難生活が長期にわたると被災者は精神的な苦痛とストレスに悩まされ、場合によっては病気になることがある。従って、体育館などの広い空間を段ボールなどを起立して周りを仕切る人もいるが、段ボールを起立しただけの仕切りは安定せず、その高さが数十センチ程度であるならばら、プライバシーを十分に確保することは出来ない。
【０００４】
また、従来から提案され実用化されている板状の間仕切りも存在するが、嵩張り、重量が大であり、避難所用の広い空間への搬送作業、組立作業、取外し作業などが繁雑であるという欠点があるばかりでなく、組立て作業や取外し作業などに時間がかかると共に高価であるという欠点がある。また、設置に際してクギなどの固定具を使用することが多い為に、避難所の床面にキズ付けるという欠点もある。
【０００５】
この点を考慮するならば、段ボールなどで構成して床面に載置するだけのブース形態とする方が好ましい。特開２００６−２７４７４０号に係る「避難所用間仕切りユニット体、およびこれを利用した避難所用間仕切り構造」は、避難所用の広い部屋（空間）を小さい区画（空間）に仕切るユニット体、およびこれを利用した避難所用間仕切り構造である。
そこで、広幅・長尺の段ボールの面に、長さ方向に沿って一定幅で交互に谷折りおよび山折り可能にされた折り目が設けられてなる単位を一単位体とし、複数の単位体が順次連接されてなる避難所用間仕切りユニット体である。しかし、複数の単位体が順次連接したユニット体である為に、個人的に必要に応じて設置することは出来にくい。
【０００６】
特開２０１０−１１６７６６号に係る「ブースユニット」は、ネットカフェや災害時の避難所等において個人又はグループ用の専用スペースを極めて簡単に構成でき、出入口の向きや位置を種々設定でき、空間効率を高めることが可能であり、区画配置の変更や撤去・移設も容易に行えるようにしている。
そこで、矩形床板の長手方向一端側を前として、床板上の前半部が前方及び左右両側と上方を覆われて後方側に開放した囲いブースＢ１を構成し、同後半部が前後左右及び上方に開放した開放ブースＢ２を構成し、開放ブースＢ２には囲いブースＢ１の天井部の左右両側から後方へ延出して床板の後端部の左右両側に至るフレームを備えている。
【０００７】
しかし、このブースユニットは構造的に煩雑であり、屋外設置には向いているが、屋内用としてはより簡素である方が好ましい。
一方、公共施設は限られた空間であり、この施設に多くの人が避難しても収容場所を確保することが出来ないことも多い。例えば、特開２００６−２７４７４０号に係る「避難所用間仕切りユニット体、およびこれを利用した避難所用間仕切り構造」、及び  特開２０１０−１１６７６６号に係る「ブースユニット」を各自が持ち込む場合、限られた公共施設に収容出来ないといった問題が発生する。
【特許文献１】特開２００６−２７４７４０号に係る「避難所用間仕切りユニット体、およびこれを利用した避難所用間仕切り構造」
【特許文献２】特開２０１０−１１６７６６号に係る「ブースユニット」
【考案の開示】
【考案が解決しようとする課題】
【０００８】
このように従来の避難用ブースユニットなどには上記のごとき問題がある。本考案が解決しようとする課題はこの問題点であり、公共施設の限られた空間に多くの人を収容することが出来、しかも素人であっても簡単に設置可能な組立て式インナーハウスを提供する。
【課題を解決するための手段】
【０００９】
本考案に係る組立て式インナーハウスは、周囲に起立する側壁部を有して所定のハウス空間を形成している。この側壁部は複数枚の段ボール紙から成る側壁板を接続して構成し、そして折畳むことで平坦な板状体とすることが出来る。また、側壁部の一部を切欠いて開口を作り、該開口は出入り口としている。ここで、側壁部を構成する側壁板の接続部は内側に突出して設けられている。
【００１０】
側壁部にて囲まれた空間の床面には下段ベッドが敷設され、そして内側に突出した上記接続部を利用して下段ベッドを位置決めすることが出来る。本考案のインナーハウスは床面にのみ下段ベッドに敷設する場合、また下段ベッドの上に上段ベッドを配置して構成する場合もある。
上段ベッドは上記下段ベッドに対して向きを垂直に配置し、その両端は該ベッド支えによって支持される。ベッド支えは下段ベッドと側壁部との間に形成した隙間に起立して設け、また、上段ベッド下補強材にて上段ベッドの中央部を支持する。
【考案の効果】
【００１１】
本考案に係る組立て式インナーハウスは、素人であっても工具を使うことなく簡単に組み立てることが出来る。すなわち、折り畳まれている側壁部を開いて起立し、内部には複数のベッドを収容することが出来る。該ベッドは一般に下段と上段に配置され、そして上段ベッドは出入口から奥側に下段ベッドに対して所定の高さで垂直を成して配置される。
【００１２】
従って、側壁部によって形成される限られた空間内に少なくとも上下二段のベッドが配置されることで、より多くの被災者を収容することが可能となる。側壁部は複数枚の側壁板を接続して構成しているが、接続部は内側に突出している為に、床面に敷設される下段ベッドは接続部に当たって位置決めされる為に位置ズレすることはない。同じく、上段ベッドも接続部を利用して位置決めすることが出来る。
【図面の簡単な説明】
【００１３】
【図１】本考案に係るインナーハウスを示す実施例。
【図２】側壁部を構成する側壁板。
【図３】４枚の側壁板を繋いで構成した側壁部。
【図４】下段ベッドを示す具体例。
【図５】側壁部の床面に２枚の下段ベッドを敷設した場合。
【図６】側壁部の床面に高さの異なる２枚の下段ベッドを敷設した場合。
【図７】（ａ）は上段ベッドを支える為のベッド支え、（ｂ）は床補助材。
【図８】側壁部の床面に高さの異なる２枚の下段ベッドを敷設し、そして隙間にベッド支えを挿入した場合。
【図９】上段ベッド下補強材を示す具体例。
【図１０】側壁部の床面に高さの異なる２枚の下段ベッドを敷設し、そして隙間にベッド支えを挿入し、さらに上段ベッド下補強材をセットした場合。
【図１１】側壁部の高さを異にしたインナーハウス。
【図１２】インナーハウスを示す更なる別の実施例。
【図１３】出入口にカーテンを吊設したインナーハウス。
【図１４】複数のインナーハウスを配列した場合。
【考案を実施するための形態】
【００１４】
図１は本考案に係る組立て式インナーハウスを示す外観図である。同図の１は側壁部、２ａ，２ｂは下段ベッド、３は上段ベッドをそれぞれ表している。側壁部１は複数枚の側壁板４，４・・・を接続して構成し、１枚の側壁板４は中央にて折り畳まれ、両側には接続片５，５を屈曲して形成している。隣り合う側壁板４，４の接続片５，５は互いに接合して連結することで接続部６を形成し、該接続部６は内側へ突出している。
【００１５】
図１に示す側壁部１は４枚の側壁板４，４・・・が接続部６，６・・・を介して接続して構成され、四角形の床面を有す空間を形成している。そして、この空間に上記下段ベッド２ａ，２ｂが敷設され、該下段ベッド２ａ，２ｂから所定の空間を残して上方に、しかも垂直方向に上段ベッド３が配置されている。従って、このインナーハウス空間には３人の被災者が寝泊まりすることが出来るように成っている。
【００１６】
図２は側壁板４ａ，４ｂを示し、側壁板４ａには出入口７を有し、側壁部１にて囲まれた空間を出入口７を通して出入りすることが出来る。同図に示すように、側壁板４ａ，４ｂは二つ折り出来るように折目８を有し、そして両側には接続片５，５が折目を介して形成している。接続片５には複数の穴９，９・・・が貫通して設けられ、この穴９，９・・・に金具（図示なし）を通して隣り合う側壁板４，４の接続片５，５が接合状態で連結される。
【００１７】
図３は側壁板４ａ，４ｂ，４ｂ・・・を接続して構成した側壁部１を表している。同図の側壁部１は変形しているが、下段ベッド２ａ，２ｂを内部床面に敷設するならば、四角形の空間が形成される。ところで、側壁部１を構成している側壁板４ａ，４ｂ，４ｂ・・・は外部空間から仕切る為のものであり、特別な外力の作用はないことから、一般に段ボール紙を材質としている。
【００１８】
図４は下段ベッド２を表す具体例である。下段ベッド２はメザラ型式で構成され、長方形の上板１０の下面には複数本の基台１１，１１・・・を取付けている。この下段ベッド２，２を側壁部１で囲まれた空間の床に敷設した状態を図５に示している。２枚の下段ベッド２，２は床面全体を覆い、該下段ベッド２，２の上面は平坦面と成っている。ここで、側壁部１には接続部６，６・・・が内側に突出している為に、下段ベッド２，２と側壁部１との間に隙間を発生するが、該隙間が発生しないように下段ベッド２，２の側面に切込みを形成し、この切込みに接続部６，６を嵌めることもが出来る。又は、発生する隙間に隙間防止部材を嵌めてもよい。
【００１９】
図６は高さの違う下段ベッド２ａ，２ｂを床面に敷設した場合を示している。下段ベッド２ａは高く、下段ベッド２ｂは低く成っていて、高さが違うことで各自の領域が等しく確保される。時には、下段ベッド２ｂを敷設することなく、床面のままとする時もあるが、この場合、下段ベッド２ａの側面は内側へ突出している接続部６，６に当たって拘束されている為に、該下段ベッド２ａが位置ズレすることはない。
【００２０】
ところで、図６において、下段ベッド２ａの側壁部側の一部が切欠かれて隙間１２を形成している。また、高さの低い下段ベッド２ｂの側壁部側では、接続部６が内側へ突出していることで該接続部６を挟んで両側に隙間１２，１３を形成している。そこで、上記隙間１２，１２には図７（ａ）に示している部材を挿入し、隙間１３には図７（ｂ）に示している部材を嵌める。
【００２１】
図７（ａ）に示す部材はベッド支え１４であり、図７（ｂ）に示す部材は床補助材１５である。両隙間１２，１２にベッド支え１４，１４を挿入して起立し、両ベッド支え１４，１４に上段ベッド３が載置される。また、図５に示しているように下段ベッド２ｂの正面には側壁部１を切欠いた出入口７が設けられているために、上記床補助材１５を隙間１３に嵌めることで隙間１３を無くし、同時に下段ベッド２ｂの位置ズレを防止している。
【００２２】
図８は上記隙間１２，１２にベッド支え１４，１４を挿入して起立し、隙間１３に床補助材１５を嵌めた状態を示している。この状態でベッド支え１４，１４に上段ベッド３の両端を載せることも可能であるが、中間部位の支えが無い為に、図９に示す部材を設置する。この部材は上段ベッド下補強材１６であり、この上段ベッド下補強材１６は中板１７の背面側両側に背板１８ａ，１８ｂが延び、背板１８ａの先端には挿入片１９ａを垂直に折り曲げ、同じく背板１８ｂの先端には挿入片１９ｂを垂直に折り曲げている。そして、背板１８ａは点線で示した下側半分が切欠かれている。
【００２３】
図１０は上記上段ベッド下補強材１６をセットした場合を示している。そこで、中板１７は下段ベッド２ａと下段ベッド２ｂの間に挿入され、背板１８ａは下段ベッド２ａと側壁部１との間に挿入され、さらに背板１８ｂは下段ベッド２ｂと側壁部１との間に挿入される。また、背板１８ａの先端に屈曲して設けている挿入片１９ａは下段ベッド２ａとベッド支え１４との間に挿入され、背板１８ｂの先端に屈曲して設けている挿入片１９ｂは下段ベッド２ｂとベッド支え１４との間に挿入されている。
【００２４】
このように、上段ベッド３は両端をベッド支え１４，１４に載置し、中間部は上段ベッド下補強材１６の中板１７に載って支持される。前記図１はこの状態を表している。ここで、ベッド支え１４，１４と中板１７に上段ベッド３を載せる場合、接続部６があることで側壁板４との間に隙間が生じる為に、上段ベッド３に切込み２０を形成し、この切込み２０に接続部６を嵌めた状態で載置される。
【００２５】
図１１は側壁部１の高さを違わせたインナーハウスの具体例を示している。同図に示すインナーハウスの場合、床面には２枚の下段ベッド２，２を敷設し、上段ベッドは配置されていない。図１１（ａ）に示すインナーハウスでは側壁部１の高さが低い為に、出入口７の上端は開口している。これに対して図１１（ｃ）に示すインナーハウスは、側壁部１が高くて出入口７の高さ寸法も大きくなっている。
【００２６】
図１２は本考案に係るインナーハウスを示す更なる別の実施例を表している。図１２（ａ）は診察用のインナーハウスを示している。被災地では多くの人がケガをしたり病気になるケースが多発し、簡易的な診察室を公共施設の片隅に作ることで治療に対応することが出来る。そこで、高さの高い下段ベッド２ａと高さの低い下段ベッド２ｂを床面に敷設し、下段ベッド２ａは診察用のベッドとして使用される。そして、下段ベッド２ｂの奥にはデスクを配置している。
【００２７】
図１２（ｂ）は前記図１で示したインナーハウスと基本構造は共通しており、床面には高さの高い下段ベッド２ａと高さの低い下段ベッド２ｂを敷設し、奥側には上段ベッド３を垂直を成して、しかも所定の高さに配置している。上段ベッドの配置構造は前記実施例で説明した通りである。図１２（ｃ）は下段ベッド２ａ，２ｂと上段ベッド３を有し、下段ベッド２ｂの奥には収納ケース２２を配置している。そして、該収納ケース２２は上段ベッド３の中央部を支えることが出来るように機能させることも出来る。この場合には、前記図９に示した上段ベッド下補強材１６は不要と成る。
【００２８】
勿論、上段ベッド下補強材１６を配置すると共に、収納ケース２２を下段ベッド２ｂの奥に配置してもよい。このように、本考案のインナーハウスの内部構造は前記図１に示す場合に限定するものではない。図１３は出入口７にカーテン２１を吊設したインナーハウスを示している。そして図１４は複数のインナーハウスを配列した場合であり、このように、インナーハウスを隙間なく配列することで、公共施設に多くの被災者の収容が可能と成る。
【符号の説明】
【００２９】
１  側壁部
２  下段ベッド
３  上段ベッド
４  側壁板
５  接続片
６  接続部
７  出入口
８  折目
９  穴
10  上板
11  基台
12  隙間
13  隙間
14  ベッド支え
15  床補助材
16  上段ベッド下補強材
17  中板
18  背板
19  挿入片
20  切込み
21  カーテン
22  収納ケース
【図１】
0003181947.tif 000003
【図２】
0003181947.tif 000004
【図３】
0003181947.tif 000005
【図４】
0003181947.tif 000006
【図５】
0003181947.tif 000007
【図６】
0003181947.tif 000008
【図７】
0003181947.tif 000009
【図８】
0003181947.tif 000010
【図９】
0003181947.tif 000011
【図１０】
0003181947.tif 000012
【図１１】
0003181947.tif 000013
【図１２】
0003181947.tif 000014
【図１３】
0003181947.tif 000015
【図１４】
0003181947.tif 000016